【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
不連続受信（ＤＲＸ）モードに入ること、ここにおいて、前記ＵＥは、第１の無線アクセス技術（ＲＡＴ）ネットワークに接続されている間、アクティビティ期間と非アクティビティ期間を交互に繰り返す、と、
第２のＲＡＴネットワークにおける信号をモニタするために、チューンアウェイ期間の間、前記第１のＲＡＴネットワークからチューンアウェイすることと、
前記ＤＲＸモードのための非アクティビティタイマーがいつ満了するか、またはいつ満了することになるかを決定すること、ここにおいて、前記決定は、前記ＤＲＸモードのための前記非アクティビティタイマーが、前記チューンアウェイ期間中に満了する、または満了することになるという決定を備える、と、
前記決定に少なくとも部分的に基づいて、前記非アクティビティタイマーの値を調整することと
を備える、方法。
【請求項２】
前記第１のＲＡＴネットワークは、ロングタームエボリューション（ＬＴＥ）ネットワークを備える、
請求項１に記載の方法。
【請求項３】
前記第２のＲＡＴネットワークは、モバイル通信のためのグローバルシステム（ＧＳＭ）、１ｘＲＴＴ、時分割同期符号分割多元接続（ＴＤ−ＳＣＤＭＡ）ネットワーク、または広帯域ＣＤＭＡ（ＷＣＤＭＡ）、のうちの少なくとも１つを備える、
請求項１に記載の方法。
【請求項４】
前記ＤＲＸモードは、無線リソース制御（ＲＲＣ）接続状態のＤＲＸ（ＣＤＲＸ）モードを備える、
請求項１に記載の方法。
【請求項５】
前記非アクティビティタイマーの前記値を調整することは、前記ＵＥが前記チューンアウェイ期間の後に前記第１のＲＡＴネットワークにチューンバックするときに、前記非アクティビティタイマーの前記値を初期値、デフォルト値、または所定値にリセットすることを備える、
請求項１に記載の方法。
【請求項６】
前記非アクティビティタイマーの前記値を調整することは、前記非アクティビティタイマーの前記値をＴＣＤＲＸａｗａｋｅ値に設定することを備える、
請求項１に記載の方法。
【請求項７】
前記ＴＣＤＲＸａｗａｋｅ値は、前記ＴＣＤＲＸａｗａｋｅ値のためのしきい値よりも少ない、
請求項６に記載の方法。
【請求項８】
前記ＴＣＤＲＸａｗａｋｅ値は、前記非アクティビティタイマー、またはオフセットの値と別のタイマーの値との合計のうちの最小値に等しい、
請求項７に記載の方法。
【請求項９】
前記オフセットの前記値は、ｄｒｘｃｙｃｌｅｓｔａｒｔ＿ｏｆｆｓｅｔ値を備え、前記別のタイマーの前記値は、ｏｎＤｕｒａｔｉｏｎタイマーの値を備える、
請求項８に記載の方法。
【請求項１０】
ユーザ機器（ＵＥ）によるワイヤレス通信のための装置であって、
不連続受信（ＤＲＸ）モードに入るための手段、ここにおいて、前記ＵＥは、第１の無線アクセス技術（ＲＡＴ）ネットワークに接続されている間、アクティビティ期間と非アクティビティ期間を交互に繰り返す、と、
第２のＲＡＴネットワークにおける信号をモニタするために、チューンアウェイ期間の間、前記第１のＲＡＴネットワークからチューンアウェイするための手段と、
前記ＤＲＸモードのための非アクティビティタイマーがいつ満了するか、またはいつ満了することになるかを決定するための手段、ここにおいて、前記決定は、前記ＤＲＸモードのための前記非アクティビティタイマーが、前記チューンアウェイ期間中に満了する、または満了することになるという決定を備える、と、
前記決定に少なくとも部分的に基づいて、前記非アクティビティタイマーの値を調整するための手段と
を備える、装置。
【請求項１１】
前記第１のＲＡＴネットワークは、ロングタームエボリューション（ＬＴＥ）ネットワークを備える、
請求項１０に記載の装置。
【請求項１２】
前記第２のＲＡＴネットワークは、モバイル通信のためのグローバルシステム（ＧＳＭ）、１ｘＲＴＴ、時分割同期符号分割多元接続（ＴＤ−ＳＣＤＭＡ）ネットワーク、または広帯域ＣＤＭＡ（ＷＣＤＭＡ）、のうちの少なくとも１つを備える、
請求項１０に記載の装置。
【請求項１３】
前記ＤＲＸモードは、無線リソース制御（ＲＲＣ）接続状態のＤＲＸ（ＣＤＲＸ）モードを備える、
請求項１０に記載の装置。
【請求項１４】
前記非アクティビティタイマーの前記値を調整することは、前記ＵＥが前記チューンアウェイ期間の後に前記第１のＲＡＴネットワークにチューンバックするときに、前記非アクティビティタイマーの前記値を初期値、デフォルト値、または所定値にリセットすることを備える、
請求項１０に記載の装置。
【請求項１５】
前記非アクティビティタイマーの前記値を調整することは、前記非アクティビティタイマーの前記値をＴＣＤＲＸａｗａｋｅ値に設定することを備える、
請求項１０に記載の装置。
【請求項１６】
前記ＴＣＤＲＸａｗａｋｅ値は、前記ＴＣＤＲＸａｗａｋｅ値のためのしきい値よりも少ない、
請求項１５に記載の装置。
【請求項１７】
前記ＴＣＤＲＸａｗａｋｅ値は、前記非アクティビティタイマー、またはオフセットの値と別のタイマーの値との合計のうちの最小値に等しい、
請求項１６に記載の装置。
【請求項１８】
前記オフセットの前記値は、ｄｒｘｃｙｃｌｅｓｔａｒｔ＿ｏｆｆｓｅｔ値を備え、前記別のタイマーの前記値は、ｏｎＤｕｒａｔｉｏｎタイマーの値を備える、
請求項１７に記載の装置。
【請求項１９】
ユーザ機器（ＵＥ）によるワイヤレス通信のための装置であって、
不連続受信（ＤＲＸ）モードに入ること、ここにおいて、前記ＵＥは、第１の無線アクセス技術（ＲＡＴ）ネットワークに接続されている間、アクティビティ期間と非アクティビティ期間を交互に繰り返す、と、
第２のＲＡＴネットワークにおける信号をモニタするために、チューンアウェイ期間の間、前記第１のＲＡＴネットワークからチューンアウェイすることと、
前記ＤＲＸモードのための非アクティビティタイマーがいつ満了するか、またはいつ満了することになるかを決定すること、ここにおいて、前記決定は、前記ＤＲＸモードのための前記非アクティビティタイマーが、前記チューンアウェイ期間中に満了する、または満了することになるという決定を備える、と、
前記決定に少なくとも部分的に基づいて、前記非アクティビティタイマーの値を調整することと
を行うように構成された少なくとも１つのプロセッサと、
前記少なくとも１つのプロセッサに結合されたメモリと
を備える、装置。
【請求項２０】
前記第１のＲＡＴネットワークは、ロングタームエボリューション（ＬＴＥ）ネットワークを備える、
請求項１９に記載の装置。
【請求項２１】
前記第２のＲＡＴネットワークは、モバイル通信のためのグローバルシステム（ＧＳＭ）、１ｘＲＴＴ、時分割同期符号分割多元接続（ＴＤ−ＳＣＤＭＡ）ネットワーク、または広帯域ＣＤＭＡ（ＷＣＤＭＡ）、のうちの少なくとも１つを備える、
請求項１９に記載の装置。
【請求項２２】
前記ＤＲＸモードは、無線リソース制御（ＲＲＣ）接続状態のＤＲＸ（ＣＤＲＸ）モードを備える、
請求項１９に記載の装置。
【請求項２３】
前記非アクティビティタイマーの前記値を調整することは、前記ＵＥが前記チューンアウェイ期間の後に前記第１のＲＡＴネットワークにチューンバックするときに、前記非アクティビティタイマーの前記値を初期値、デフォルト値、または所定値にリセットすることを備える、
請求項１９に記載の装置。
【請求項２４】
前記非アクティビティタイマーの前記値を調整することは、前記非アクティビティタイマーの前記値をＴＣＤＲＸａｗａｋｅ値に設定することを備える、
請求項１９に記載の装置。
【請求項２５】
前記ＴＣＤＲＸａｗａｋｅ値は、前記ＴＣＤＲＸａｗａｋｅ値のためのしきい値よりも少ない、
請求項２４に記載の装置。
【請求項２６】
前記ＴＣＤＲＸａｗａｋｅ値は、前記非アクティビティタイマー、またはオフセットの値と別のタイマーの値との合計のうちの最小値に等しい、
請求項２５に記載の装置。
【請求項２７】
前記オフセットの前記値は、ｄｒｘｃｙｃｌｅｓｔａｒｔ＿ｏｆｆｓｅｔ値を備え、前記別のタイマーの前記値は、ｏｎＤｕｒａｔｉｏｎタイマーの値を備える、
請求項２６に記載の装置。
【請求項２８】
コンピュータ実行可能コードを記憶した非一時的なコンピュータ可読媒体であって、前記コンピュータ実行可能コードは、
ユーザ機器（ＵＥ）によって、不連続受信（ＤＲＸ）モードに入ること、ここにおいて、前記ＵＥは、第１の無線アクセス技術（ＲＡＴ）ネットワークに接続されている間、アクティビティ期間と非アクティビティ期間を交互に繰り返す、と、
第２のＲＡＴネットワークにおける信号をモニタするために、チューンアウェイ期間の間、前記第１のＲＡＴネットワークからチューンアウェイすることと、
前記ＤＲＸモードのための非アクティビティタイマーがいつ満了するか、またはいつ満了することになるかを決定すること、ここにおいて、前記決定は、前記ＤＲＸモードのための前記非アクティビティタイマーが、前記チューンアウェイ期間中に満了する、または満了することになるという決定を備える、と、
前記決定に少なくとも部分的に基づいて、前記非アクティビティタイマーの値を調整することと
を行うためのものである、非一時的なコンピュータ可読媒体。
【請求項２９】
前記非アクティビティタイマーの前記値を調整することは、前記ＵＥが前記チューンアウェイ期間の後に前記第１のＲＡＴネットワークにチューンバックするときに、前記非アクティビティタイマーの前記値を初期値、デフォルト値、または所定値にリセットすることを備える、
請求項２８に記載の非一時的なコンピュータ可読媒体。
【請求項３０】
前記非アクティビティタイマーの前記値を調整することは、前記非アクティビティタイマーの前記値をＴＣＤＲＸａｗａｋｅ値に設定することを備える、
請求項２８に記載の非一時的なコンピュータ可読媒体。